(57)【要約】【課題】登録されたジョブパラメータを正常に利用するための技術を提供すること。【解決手段】一般に、本実施形態の画像形成装置は、記憶部と、制御部とを備える。記憶部は、複数の画像形成装置を含むグループに共有されるジョブパラメータを記憶する。制御部は、ジョブパラメータが自機の能力では実行できない場合、ジョブパラメータを自機の能力で実行できるジョブパラメータに補正する。【選択図】図７
2019059136.tif 000002
【特許請求の範囲】
【請求項１】
複数の画像形成装置を含むグループに共有されるジョブパラメータを記憶する記憶部と、
前記ジョブパラメータが自機の能力では実行できない場合、前記ジョブパラメータを前記自機の能力で実行できるジョブパラメータに補正する制御部と
を備える画像形成装置。
【請求項２】
請求項１に記載の画像形成装置であって、
前記制御部は、前記ジョブパラメータの各項目の設定値を、前記グループに属する前記複数の画像形成装置の各項目の能力において、最も低い能力である共通最大限能力で実行できる値に補正する画像形成装置。
【請求項３】
請求項１または請求項２に記載の画像形成装置であって、
前記制御部は、ディスプレイに、補正後の前記ジョブパラメータを表示し、かつ前記ジョブパラメータの各項目の設定値の変更を受け付ける画面を表示し、前記画面を介して前記設定値の変更を受け付ける画像形成装置。
【請求項４】
請求項２に記載の画像形成装置であって、
前記制御部は、前記グループに属する画像形成装置の変更があると、前記共通最大限能力を再計算する画像形成装置。
【請求項５】
請求項２または請求項４に記載の画像形成装置であって、
前記制御部は、前記グループ内のいずれかの前記画像形成装置が能力の変更を行う場合、前記共通最大限能力を再計算する画像形成装置。
【発明の詳細な説明】
【技術分野】
【０００１】
この明細書に記載の実施形態は、ジョブパラメータの共有技術に関する。
【背景技術】
【０００２】
従来、画像形成装置が知られる（例えば特許文献１）。画像形成装置において、ジョブの履歴から選択されたジョブのジョブパラメータを登録できるものがある。この画像形成装置では、所定の画面にて登録済みのジョブパラメータの選択を受け付けることで、該ジョブパラメータを呼び出すことができる。画像形成装置が該登録済みのジョブパラメータのファイルを共有ボックス内に入れることで、ネットワーク内のどの画像形成装置からも該ジョブパラメータを呼び出して、ジョブの実行に利用することが可能となる。
【先行技術文献】
【特許文献】
【０００３】
【特許文献１】特開２０１０−２８７２１６号公報
【発明の概要】
【発明が解決しようとする課題】
【０００４】
しかしながら、ネットワーク内の各画像形成装置はそれぞれ能力が異なる。そのため、従来技術では、ネットワーク内の画像形成装置の能力によっては、共有したジョブパラメータを用いると、正常にはジョブを実行できないおそれがある。例えば、共有したジョブパラメータがステープルを行うものである場合、ステープル機能が無い画像形成装置では、共有したジョブパラメータを用いると、正常にはジョブを実行できないおそれがある。
【０００５】
この明細書は、共有したジョブパラメータを正常に利用するための技術を提供することを目的とする。
【課題を解決するための手段】
【０００６】
一般に、本実施形態の画像形成装置は、記憶部と、制御部とを備える。記憶部は、複数の画像形成装置を含むグループに共有されるジョブパラメータを記憶する。制御部は、ジョブパラメータが自機の能力では実行できない場合、ジョブパラメータを自機の能力で実行できるジョブパラメータに補正する。
【図面の簡単な説明】
【０００７】
【図１】ＭＦＰを示す図である。
【図２】ジョブパラメータを共有するための画面を示す図である。
【図３】ジョブパラメータを表示する画面を示す図である。
【図４】共有ジョブパラメータを利用する際のＭＦＰの処理を示すフローチャートである。
【図５】共有ジョブパラメータリストを表示する画面を示す図である。
【図６】共通最大限能力の算出方法を説明するための図である。
【図７】共有ジョブパラメータの自動補正を通知する画面を示す図である。
【図８】ジョブパラメータを表示する画面を示す図である。
【図９】手動補正を行うための画面を示す図である。
【図１０】共通最大限能力の再計算を行う処理の流れを示すフローチャートである。
【発明を実施するための形態】
【０００８】
以下、実施形態について図面を参照しつつ説明する。
図１は、ＭＦＰ１Ａ，１Ｂ（画像形成装置）を示す図である。
ＭＦＰ１Ａ，１Ｂ(Multi-Function Peripheral)は、プリント処理、コピー処理、スキャナ処理、ＦＡＸ処理等の複数の処理機能を実行できる。ＭＦＰ１Ａ，１Ｂは、イントラネット上にあり、複数台のＭＦＰ１Ａ，１Ｂを含むグループＧに属する。ＭＦＰ１Ａ，１Ｂは、互いに有線または無線により通信可能に接続する。グループＧでは、ＭＦＰ１Ａ，１Ｂは、実行したジョブのジョブパラメータを共有できる。グループＧにおけるジョブパラメータの共有機能に関し、ＭＦＰ１Ａが上位のマスターとなり、他のＭＦＰ１ＢがＭＦＰ１Ａの下位のスレーブとなる。
【０００９】
ＭＦＰ１Ａには、グループＧを構成する他のＭＦＰ１ＢのＩＰアドレスが予め設定されており、ＭＦＰ１Ａは、他のＭＦＰ１Ｂに自機がマスターである旨および自機のＩＰアドレスを通知する。これにより、ＭＦＰ１Ａを介してグループＧのＭＦＰ１Ａ，１Ｂは、後述するステータスリスト１４２や共有ジョブパラメータリスト１４４の同期が可能となる。イントラネットは、ＭＦＰ１Ａ，１Ｂの他、不図示のＰＣ(Personal Computer) を含む。
【００１０】
ＭＦＰ１Ａ，１Ｂは、画像形成部１１、読取部１２、制御部１３、記憶部１４、通信Ｉ／Ｆ１５(Interface)、ディスプレイ１６、および入力部１７を備える。
【００１１】
画像形成部１１は、シートに画像を形成する。画像形成部１１は、レーザにて感光体に潜像を形成し、潜像をトナーにより現像して感光体にトナー像を形成する。画像形成部１１は、感光体のトナー像をシートに転写し、シートを定着器により加熱してトナー像をシートに定着させる。画像形成部１１は、ヘッドからインクを吐出してシートに画像を形成してもよい。ＭＦＰ１Ａ，１Ｂは、画像形成部１１により、イントラネット内のＰＣから受信する画像データに基づいてシートに画像を形成するプリント処理を行うことができる。
【００１２】
読取部１２は、ＣＣＤ(Charge Coupled Device)等の撮像素子を備える。ＭＦＰ１Ａ，１Ｂは、読取部１２により、原稿台上のシートを読み取り画像データを生成するスキャン処理を行うことができる。ＭＦＰ１Ａ，１Ｂは、読み取った画像データをＦＡＸ送信するＦＡＸ処理や、読み取った画像データに基づいてシートに画像を形成するコピー処理を行うことができる。
【００１３】
制御部１３は、プロセッサであり、ＭＦＰ１Ａ，１Ｂ全体を制御する。制御部１３は、記憶部１４内のプログラムを読み込み、各種の処理を実行する。
【００１４】
記憶部１４は、メモリであり、各種の閾値やプログラムを記憶する。記憶部１４は、ステータス１４１、ステータスリスト１４２、ジョブ履歴１４３、および共有ジョブパラメータリスト１４４を記憶する。ステータス１４１は、プリンタ名やＩＰアドレス、ＭＡＣアドレス等の自機の識別情報、および自機の能力を含む。自機の能力とは、カラーモードの種類（複数色によるプリントが可能なフルカラーモードおよび黒のみのプリントが可能な白黒モード）、解像度の範囲、両面モードの種類（両面プリントモード、片面プリントモード）、ステープル処理やパンチ処理の可否、各カセットの用紙サイズ等である。
【００１５】
ステータスリスト１４２は、グループＧに属するＭＦＰ１Ａ，１Ｂのステータスのリストである（図６（Ａ）参照）。ステータスリスト１４２は、定期的に、あるいはグループＧを構成するＭＦＰ１Ａ，１Ｂが変更するタイミングで、あるいはいずれかのＭＦＰ１Ａ，１Ｂの能力が変更するタイミングで、ＭＦＰ１Ａ，１Ｂ間で同期され、更新する。
【００１６】
ジョブ履歴１４３は、コピー処理、プリント処理、スキャン処理、ＦＡＸ処理等、該ＭＦＰ１Ａ，１Ｂが行ったジョブの履歴である。ジョブ履歴１４３中の各ジョブは、ＭＦＰ１Ａ，１Ｂの識別情報、ジョブの実行日時、およびジョブパラメータと対応付けて記憶される。
【００１７】
ジョブパラメータの設定値の項目は、図３に参照されるように、例えばジョブがスキャン処理の場合、カラーモード、解像度、原稿モード（文字モード、文字／写真モード、写真モード）、両面モード（両面プリントモード、片面プリントモード）、画像回転（画像データの編集における回転角度）、原稿サイズ（処理するシートの指定サイズまたは処理するシートサイズの自動判定）、ファイル形式（保存する画像データのファイル形式）、ファイル名（保存する画像データのファイル名）となる。
【００１８】
共有ジョブパラメータリスト１４４は、グループＧのＭＦＰ１Ａ，１Ｂで共有する共有ジョブパラメータのリストである。
【００１９】
通信Ｉ／Ｆ１５は、ＭＦＰ１Ａ，１Ｂが外部端末と通信するためのインターフェースである。
【００２０】
ディスプレイ１６は、タッチパネル等であり、ＭＦＰ１Ａ，１Ｂの設定情報や動作ステータス、ログ情報、ユーザへの通知を表示する。
【００２１】
入力部１７は、タッチパネルや物理キー等であり、ユーザの入力を受け付ける。入力部１７は、プリント処理の指示等、ＭＦＰ１Ａ，１Ｂの機能動作の指示や、設定の入力を受け付ける。
【００２２】
図２は、ジョブパラメータを共有するための画面９１を示す図である。以下、スレーブのＭＦＰ１Ｂによってジョブパラメータを共有する際のＭＦＰ１Ａ，１Ｂの処理を説明する。
ＭＦＰ１Ｂ（の制御部１３）は、ユーザからジョブ履歴１４３の表示指示を受け付けると、ジョブ履歴１４３の各ジョブを一覧表示する画面９１をディスプレイ１６に表示する。各ジョブは、ジョブの種類およびジョブの実行日時が表示されるとともに、詳細ボタン９１１が表示される。
【００２３】
ＭＦＰ１Ｂは、ジョブの選択を受け付けるとともに（図２の例では最下段のスキャンジョブ）、詳細ボタン９１１の選択を受け付けると、図３に示すように該ジョブのジョブパラメータを表示する。図２に戻り、ＭＦＰ１Ｂは、ジョブの選択を受け付けるとともにＯＫボタン９１２の選択を受け付けると、グループＧのＭＦＰ１Ａ，１Ｂと該ジョブのジョブパラメータを共有する。具体的に、ＭＦＰ１Ｂは、マスターのＭＦＰ１Ａに対し、グループＧで共有するジョブのパラメータである共有ジョブパラメータ（該ジョブの種類および実行日時を含む）を送信する。
【００２４】
すると、ＭＦＰ１Ａは、共有ジョブパラメータリスト１４４を更新し、共有ジョブパラメータリスト１４４に新たな共有ジョブパラメータを追加する。ＭＦＰ１Ａは、スレーブのＭＦＰ１Ｂに、共有ジョブパラメータリスト１４４の更新を通知する。これにより、各ＭＦＰ１Ｂは、自機の共有ジョブパラメータリスト１４４をマスターのＭＦＰ１Ａの共有ジョブパラメータリスト１４４に同期させ、自機の共有ジョブパラメータリスト１４４を更新する。
【００２５】
マスターのＭＦＰ１Ａにて、ジョブ履歴１４３の中からジョブパラメータを共有するジョブの選択を受け付ける場合、自機の共有ジョブパラメータリスト１４４を更新した後、該更新をスレーブのＭＦＰ１Ｂに通知する。これにより、各ＭＦＰ１Ｂが自機の共有ジョブパラメータリスト１４４をマスターのＭＦＰ１Ａの共有ジョブパラメータリスト１４４に同期させる。
【００２６】
以下、共有ジョブパラメータを利用する際のＭＦＰ１Ａ，１Ｂの処理を図４のフローチャートを参照して説明する。
ＭＦＰ１Ａ，１Ｂは、ユーザから共有ジョブパラメータリスト１４４の表示指示を受け付けると、図５に示すように、共有ジョブパラメータリスト１４４の共有ジョブパラメータを一覧表示する画面９３をディスプレイ１６に表示する。（Ａｃｔ１）。各共有ジョブパラメータは、該共有ジョブパラメータに係るジョブの種類およびジョブの実行日時が表示されるとともに、詳細ボタン９３１が表示される。ＭＦＰ１Ａ，１Ｂは、詳細ボタン９３１の選択を受け付けると、前述の図３に示すように、該共有ジョブパラメータの各設定値を表示する。
【００２７】
図６は、共通最大限能力の算出方法を説明するための図である。図６（Ａ）は、ステータスリスト１４２を示す図である。図６（Ｂ）は、算出される共通最大限能力の各項目の設定値を示す図である。
ＭＦＰ１Ａ，１Ｂは、ステータスリスト１４２に基づき、グループＧに属する画像形成装置１Ａ，１Ｂの各項目の能力において、最も低い能力である共通最大限能力を算出する（Ａｃｔ２）。グループＧのＭＦＰ１Ａ，１Ｂでは、カラーモードの能力が白黒モードのものとフルカラーモードのものとがある。フルカラーモードで画像を形成できるＭＦＰ１Ａ，１Ｂは白黒モードでも画像を形成できるので、フルカラーモードは、白黒モードの上位となる。従って、カラーモードの項目において、グループＧで最も低い能力である共通最大限能力は、図６（Ｂ）に示すように、白黒モードとなる。グループＧのＭＦＰ１Ａ，１Ｂでは、解像度が６００ｄｐｉもの、４００ｄｐｉもの、３００ｄｐｉものがある。従って、解像度の項目にて共通最大限能力は３００ｄｐｉとなる。
【００２８】
図５に戻り、ＭＦＰ１Ａ，１Ｂは、利用する共有ジョブパラメータが選択され、ＯＫボタン９３１が押されることにより、利用する共有ジョブパラメータの選択を受け付ける（Ａｃｔ３）。図５の例では、最下段のスキャンジョブに係る共有ジョブパラメータが選択される。
【００２９】
ＭＦＰ１Ａ，１Ｂは、選択される共有ジョブパラメータの各項目が、自機の能力で全て実行可能か否かを判定する（Ａｃｔ４）。ＭＦＰ１Ａ，１Ｂは、実行可能と判定する場合（Ａｃｔ４：ＮＯ）、後述のＡｃｔ７の処理を行う。
【００３０】
ＭＦＰ１Ａ，１Ｂは、選択される共有ジョブパラメータの項目において、自機の能力で実行不可能なものがある場合、例えば選択される共有ジョブパラメータのカラーモードがフルカラーモードであり、自機のカラーモードの能力が白黒モードである場合、実行不可能と判定する（Ａｃｔ４：ＹＥＳ）。
【００３１】
この場合、ＭＦＰ１Ａ，１Ｂは、選択される共有ジョブパラメータのうち、自機の能力で実行不可能な項目の設定値を、自機の能力で実行できるジョブパラメータに補正する、本実施形態の場合、該項目における共通最大限能力に補正する（Ａｃｔ５）。例えば選択される共有ジョブパラメータのカラーモードがフルカラーモードであり、自機のカラーモードの能力が白黒モードである場合には、共有ジョブパラメータのカラーモードであるフルカラーモードは、自機では実行できない。この場合、ＭＦＰ１Ａ，１Ｂは、共有ジョブパラメータのカラーモードを、フルカラーモードから共通最大限能力（図６（Ｂ）参照）である白黒モードに補正する。
【００３２】
例えば選択される共有ジョブパラメータの解像度が９００ｄｐｉであり、自機の解像度の能力の上限が６００ｄｐｉである場合には、共有ジョブパラメータの解像度９００ｄｐｉでは、自機ではスキャンジョブを実行できない。この場合、ＭＦＰ１Ａ，１Ｂは、共有ジョブパラメータの解像度を、９００ｄｐｉから共通最大限能力の３００ｄｐｉ（図６（Ｂ）参照）に補正する。
【００３３】
ここでは、ＭＦＰ１Ａ，１Ｂは、共有ジョブパラメータのカラーモードをフルカラーモードから白黒モードに補正したものとする。
【００３４】
図７は、共有ジョブパラメータの自動補正を通知する画面９４を示す図である。
ＭＦＰ１Ａ，１Ｂは、選択された共有ジョブパラメータが自機の能力では実行できないため、該共有ジョブパラメータを自動補正した旨を画面９４に表示する（Ａｃｔ６）。
【００３５】
図８は、ジョブパラメータを表示する画面９５を示す図である。
ＭＦＰ１Ａ，１Ｂは、図７の画面９４にて、選択された共有ジョブパラメータの詳細ボタン９４１の選択を受け付けると、選択された共有ジョブパラメータの補正後の各項目の設定値を表示する図８の画面９５を表示する。また、本例ではカラーモードがフルカラーモードから白黒モードに補正されたことから、画面９５では、自動補正した共有ジョブパラメータの項目がカラーモードであることが表示される。
【００３６】
図９は、手動補正を行うための画面９６を示す図である。
ＭＦＰ１Ａ，１Ｂは、図８の画面９５にて共有ジョブパラメータの適宜の項目が選択されるとともに、手動補正ボタン９５１の選択を受け付けると、手動補正を行うための図９の画面９６を表示する。ここでは、共有ジョブパラメータの解像度の項目が選択されたものとする。
【００３７】
画面９６では、共有ジョブパラメータの選択された項目において、自機の能力で実行可能な複数の設定値が表示されるとともに、現在の設定値が表示される。ここでは、現在の設定値が３００ｄｐｉであり、選択可能な解像度の設定値として、６００，４００，３００，２００，１５０，１００（ｄｐｉ）が表示される。画面９６にて、設定値が選択されるとともに、決定ボタン９６１が選択されると、ＭＦＰ１Ａ，１Ｂは、該設定値を、選択された設定値に補正する。
【００３８】
そして、ＭＦＰ１Ａ，１Ｂは、図８の画面９５にて、該手動補正した項目を表示する（Ａｃｔ７：Ｙｅｓ、Ａｃｔ８）。ここでは、画面９６にて４００ｄｐｉが選択されて決定ボタン９６１が選択されたことにより、ＭＦＰ１Ａ，１Ｂが共有ジョブパラメータの解像度の設定値を３００ｄｐｉから４００ｄｐｉに補正したものとする。そして、ＭＦＰ１Ａ，１Ｂは、図８の画面９５にて、該手動補正した項目を解像度と表示したものとする（Ａｃｔ７：Ｙｅｓ、Ａｃｔ８）。なお、手動補正（Ａｃｔ７：ＮＯ）を行わない場合、ＭＦＰ１Ａ，１Ｂは次のＡｃｔ９の処理を行う。
【００３９】
ＭＦＰ１Ａ，１Ｂは、画面９５にて戻るボタン９５２が選択されると、図７の画面９４を表示する。ＭＦＰ１Ａ，１Ｂは、図７の画面９４または図５の画面９３にて、共有ジョブパラメータの選択を受け付けるとともに、ＯＫボタン９３２、９４２の選択を受け付けると、利用する共有ジョブパラメータの内容を確定させ（Ａｃｔ９：ＹＥＳ）、処理を終了する。これにより、ＭＦＰ１Ａ，１Ｂは、選択を受け付けた共有ジョブパラメータの設定値で、ジョブを実行することが可能となる。
【００４０】
ＭＦＰ１Ａ，１Ｂは、例えば、本例のようにスキャンジョブの共有ジョブパラメータが選択され、ＯＫボタン９３２、９４２が選択されると、選択されたスキャンジョブの共有ジョブパラメータでスキャンジョブを実行する。すなわち、ＭＦＰ１Ａ，１Ｂは、原稿台上のシートを読取部１２により４００ｄｐｉ等の共有ジョブパラメータの設定値に従って読み取り、画像データをｐｄｆで生成し、ファイル名をＸｘｘとする。図７の画面９４または図５の画面９３にて、ＯＫボタン９３２、９４２を選択せずに他の共有ジョブパラメータを選択する場合、ＭＦＰ１Ａ，１Ｂは、Ａｃｔ３の処理を再度行う（Ａｃｔ９：ＮＯ，Ａｃｔ３）。
【００４１】
図１０は、共通最大限能力の再計算を行うＭＦＰ１Ａの処理の流れを示すフローチャートである。
マスターのＭＦＰ１Ａは、共通最大限能力の計算を、共有ジョブパラメータリスト１４４の表示指示を受け付けるタイミングで行う必要は必ずしも無く、適宜のタイミングで行い、計算結果を他のＭＦＰ１Ｂに同期させてもよい。すなわち、ＭＦＰ１Ａは、グル―プＧに新規のＭＦＰ１Ｂが追加された場合（Ａｃｔ２１：Ｙｅｓ）、グル―プＧからあるＭＦＰ１Ｂが外れた場合（Ａｃｔ２２：Ｙｅｓ）、グル―プＧのあるＭＦＰ１Ａ，１Ｂの能力に変更が生じた場合（Ａｃｔ２３：Ｙｅｓ）、共通最大限能力を再計算してもよい。そして、ＭＦＰ１Ａは、再計算した共通最大限能力を他のＭＦＰ１Ｂと同期させてもよい（Ａｃｔ２４）。グル―プＧのＭＦＰ１Ｂの構成に変更が無く（Ａｃｔ２１：ＮＯ、Ａｃｔ２２：ＮＯ）、グル―プＧのＭＦＰ１Ａ，１Ｂの能力に変更もない場合（Ａｃｔ２３：ＮＯ）、およびＡｃｔ２４の後、ＭＦＰ１Ａは、処理を終了する。
【００４２】
（変形例）
ＭＦＰ１Ａ，１Ｂは、共有したジョブパラメータが自機の能力では実行できない場合、ジョブパラメータの設定値を、自機の最大能力で実行できる設定値に補正してもよい。例えば、ＭＦＰ１Ａ，１Ｂは、スキャン処理できる解像度の最大が６００ｄｐｉであり、グループＧに属する画像形成装置１Ａ，１Ｂの解像度の能力のうち最も低い能力である共通最大限能力が３００ｄｐｉであるとする。この場合において、共有したジョブパラメータの解像度が９００ｄｐｉである場合、解像度を前記実施形態のように共通最大限能力である３００ｄｐｉに補正しなくてもよく、自機の解像度の最大能力である６００ｄｐｉに補正してもよい。
【００４３】
以上に詳述したように、この明細書に記載の技術によれば、共有したジョブパラメータを正常に利用するための技術を提供できる。
【符号の説明】
【００４４】
１Ａ、１Ｂ…画像形成装置、１２…記憶部、１３…制御部、１６…ディスプレイ、９５…設定値の変更を受け付ける画面、Ｇ…グループ。
【図１】
2019059136.tif 000003
【図２】
2019059136.tif 000004
【図３】
2019059136.tif 000005
【図４】
2019059136.tif 000006
【図５】
2019059136.tif 000007
【図６】
2019059136.tif 000008
【図７】
2019059136.tif 000009
【図８】
2019059136.tif 000010
【図９】
2019059136.tif 000011
【図１０】
2019059136.tif 000012